(57)【要約】【課題】所望の光量になるまでに時間がかかる主光源を用いる場合であっても、光量の変動を抑制しつつ、実際に画像が表示されるまでの時間を短縮することが可能な制御システム等を提供すること。【解決手段】制御システム１１０が、投写部１４０に対して光が入力される光路に光を出力する主光源１３４と、前記光路に光を出力する補助光源１３５と、補助光源１３５の光量を制御する制御部１２０を含んで構成され、制御部１２０が、補助光源１３５に対して、主光源１３４の光量と補助光源１３５の光量とが合成された合成光量を一定範囲にする制御または前記合成光量を所定値以上にする制御を行う。【選択図】図２
2010097951.tif 000002
【特許請求の範囲】
【請求項１】
画像投写用の光路に光を出力する主光源と、
前記光路に光を出力する補助光源と、
補助光源の光量を制御する制御部と、
を含み、
前記制御部は、前記補助光源に対して、前記主光源の光量と前記補助光源の光量とが合成された合成光量を一定範囲にする制御または前記合成光量を所定値以上にする制御を行うことを特徴とする制御システム。
【請求項２】
請求項１に記載の制御システムにおいて、
前記合成光量を計測する計測部を含み、
前記制御部は、前記計測部によって計測された前記合成光量に基づき、前記補助光源に対する制御を行うことを特徴とする制御システム。
【請求項３】
請求項１に記載の制御システムにおいて、
前記主光源の光量を計測する計測部を含み、
前記制御部は、前記計測部によって計測された前記主光源の光量に基づき、前記補助光源に対する制御を行うことを特徴とする制御システム。
【請求項４】
請求項１〜３のいずれかに記載の制御システムにおいて、
前記補助光源は、前記主光源に比べて所望の光量になるまでの所要時間が短い光源であることを特徴とする制御システム。
【請求項５】
請求項１〜４のいずれかに記載の制御システムにおいて、
前記補助光源は、複数の光源で構成され、
前記制御部は、前記複数の光源の点灯状態を制御することにより、前記補助光源の光量を調整することを特徴とする制御システム。
【請求項６】
請求項１〜４のいずれかに記載の制御システムにおいて、
前記補助光源は、少なくとも１つの光源で構成され、
前記制御部は、前記少なくとも１つの光源の点灯状態を制御することにより、前記補助光源の光量を調整することを特徴とする制御システム。
【請求項７】
請求項１〜６のいずれかに記載の前記制御システムと、
前記光路からの光を用いて画像を投写する投写部と、
を含むプロジェクタ。
【請求項８】
請求項７に記載のプロジェクタにおいて、
前記制御部は、前記プロジェクタの起動後の経過時間、前記プロジェクタの累計稼働時間、前記プロジェクタの周囲温度、前記プロジェクタの内部温度のうちの少なくとも１つに基づき、前記補助光源に対する制御を調整することを特徴とする制御システム。
【請求項９】
画像を投写する投写部と、画像投写用の光路に光を出力する主光源と、前記光路に光を出力する補助光源とを含むプロジェクタの有するコンピュータにより読み取り可能なプログラムにおいて、
前記コンピュータを、前記補助光源に対して、前記主光源の光量と前記補助光源の光量とが合成された合成光量を一定範囲にする制御または前記合成光量を所定値以上にする制御を行う制御部として機能させることを特徴とするプログラム。
【請求項１０】
画像を投写する投写部と、画像投写用の光路に光を出力する主光源と、前記光路に光を出力する補助光源とを含むプロジェクタの有するコンピュータにより読み取り可能なプログラムを記憶した情報記憶媒体において、
請求項９に記載のプログラムを記憶した情報記憶媒体。
【発明の詳細な説明】
【技術分野】
【０００１】
本発明は、光量を制御する制御システム、プロジェクタ、プログラムおよび情報記憶媒体に関する。
【背景技術】
【０００２】
一般的なプロジェクタの光源としては超高圧水銀ランプが用いられている。超高圧水銀ランプは、発光効率はよいが所望の光量になるまでに時間がかかる。このため、従来のプロジェクタでは実際に画像が表示されるまでに１分程度の時間がかかってしまう。
【０００３】
このような問題を解決する手法として、超高圧水銀ランプ以外の補助光源を用いる手法が考えられる。例えば、特開２００７−１４７８７０号公報では、プロジェクタに、白色光源と補助光源を設け、補助光源の光量の増加量を制御する手法が提案されている。
【先行技術文献】
【特許文献】
【０００４】
【特許文献１】特開２００７−１４７８７０号公報
【発明の概要】
【発明が解決しようとする課題】
【０００５】
しかし、単に補助光源の光量の増加量を制御するだけでは、画像表示までの時間を短縮する効果は得られない上、光量も変動してしまい、見づらい画像になってしまう。
【０００６】
本発明の目的は、所望の光量になるまでに時間がかかる主光源を用いる場合であっても、光量の変動を抑制しつつ、実際に画像が表示されるまでの時間を短縮することが可能な制御システム、プロジェクタ、プログラムおよび情報記憶媒体を提供することにある。
【課題を解決するための手段】
【０００７】
上記課題を解決するため、本発明に係る制御システムは、画像投写用の光路に光を出力する主光源と、前記光路に光を出力する補助光源と、補助光源の光量を制御する制御部と、を含み、前記制御部は、前記補助光源に対して、前記主光源の光量と前記補助光源の光量とが合成された合成光量を一定範囲にする制御または前記合成光量を所定値以上にする制御を行うことを特徴とする。
【０００８】
また、本発明に係るプロジェクタは、前記制御システムと、前記光路からの光を用いて画像を投写する投写部とを含むことを特徴とする。
【０００９】
また、本発明に係るプログラムは、画像を投写する投写部と、画像投写用の光路に光を出力する主光源と、前記光路に光を出力する補助光源とを含むプロジェクタの有するコンピュータにより読み取り可能なプログラムにおいて、前記コンピュータを、前記補助光源に対して、前記主光源の光量と前記補助光源の光量とが合成された合成光量を一定範囲にする制御または前記合成光量を所定値以上にする制御を行う制御部として機能させることを特徴とする。
【００１０】
また、本発明に係る情報記憶媒体は、画像を投写する投写部と、画像投写用の光路に光を出力する主光源と、前記光路に光を出力する補助光源とを含むプロジェクタの有するコンピュータにより読み取り可能なプログラムを記憶した情報記憶媒体において、上記プログラムを記憶したことを特徴とする。
【００１１】
本発明によれば、制御システム等は、補助光源に対して合成光量を一定範囲にする制御または合成光量を所定値以上にする制御を行うことにより、所望の光量になるまでに時間
がかかる主光源を用いる場合であっても、光量の変動を抑制しつつ、実際に画像が表示されるまでの時間を短縮することができる。
【００１２】
また、前記制御システムは、前記合成光量を計測する計測部を含み、前記制御部は、前記計測部によって計測された前記合成光量に基づき、前記補助光源に対する制御を行ってもよい。
【００１３】
これによれば、制御システム等は、合成光量を計測することにより、より正確に制御を行うことができる。
【００１４】
また、前記制御システムは、前記主光源の光量を計測する計測部を含み、前記制御部は、前記計測部によって計測された前記主光源の光量に基づき、前記補助光源に対する制御を行ってもよい。
【００１５】
これによれば、制御システム等は、主光源の光量を計測することにより、主光源の光量に応じた制御を行うことができる。
【００１６】
また、前記補助光源は、前記主光源に比べて所望の光量になるまでの所要時間が短い光源であってもよい。
【００１７】
これによれば、制御システム等は、所望の光量になるまでに時間がかかる主光源を用いる場合であっても、光量の変動を抑制しつつ、実際に画像が表示されるまでの時間を短縮することができる。
【００１８】
また、前記補助光源は、複数の光源で構成され、前記制御部は、前記複数の光源の点灯状態を制御することにより、前記補助光源の光量を調整してもよい。
【００１９】
これによれば、制御システム等は、補助光源を構成する複数の光源の点灯状態を制御することにより、合成光量の変動を抑制することができる。
【００２０】
また、前記補助光源は、少なくとも１つの光源で構成され、前記制御部は、前記少なくとも１つの光源の点灯状態を制御することにより、前記補助光源の光量を調整してもよい。
【００２１】
これによれば、制御システム等は、補助光源の点灯状態を制御することにより、合成光量の変動を抑制することができる。
【００２２】
また、前記制御部は、前記プロジェクタの起動後の経過時間、前記プロジェクタの累計稼働時間、前記プロジェクタの周囲温度、前記プロジェクタの内部温度のうちの少なくとも１つに基づき、前記補助光源に対する制御を調整してもよい。
【００２３】
これによれば、制御システム等は、経過時間、累計稼働時間、周囲温度、内部温度のいずれかの影響によってプロジェクタの状態が通常状態とは異なる状態になっている場合であっても適切に光量を制御することができる。
【図面の簡単な説明】
【００２４】
【図１】第１の実施例における合成光量を示す図である。
【図２】第１の実施例におけるプロジェクタの機能ブロック図である。
【図３】第１の実施例における制御システムと集光光学系の構成を示す図である。
【図４】第１の実施例における光量制御手順を示すフローチャートである。
【図５】第２の実施例における制御システムと集光光学系の構成を示す図である。
【図６】第２の実施例における光量制御手順を示すフローチャートである。
【図７】第３の実施例における周囲温度による主光源の光量の相違を示す図である。
【図８】第３の実施例における制御システムの機能ブロック図である。
【図９】第４の実施例における累計稼働時間による主光源の最大光量の相違を示す図である。
【図１０】第４の実施例における制御システムの機能ブロック図である。
【図１１】第５の実施例における制御システムの機能ブロック図である。
【発明を実施するための形態】
【００２５】
以下、本発明をプロジェクタに適用した実施例について、図面を参照しつつ説明する。なお、以下に示す実施例は、特許請求の範囲に記載された発明の内容を何ら限定するものではない。また、以下の実施例に示す構成のすべてが、特許請求の範囲に記載された発明の解決手段として必須であるとは限らない。
【００２６】
（第１の実施例）
図１は、第１の実施例における合成光量を示す図である。本実施例では、プロジェクタは、主光源と、補助光源を含んで構成されている。主光源は、超高圧水銀ランプ等であり、補助光源に比べて所望の光量になるまでの所要時間が長い光源である。これに対し、補助光源は、冷陰極管等の短時間で発光する光源である。本実施例のプロジェクタは、主光源の駆動開始と同時に補助光源を駆動し、主光源の光量に応じて補助光源の駆動量を調整することにより、主光源の光量と補助光源の光量を合わせた合成光量をほぼ一定の値に保つことができる。
【００２７】
次に、このような機能を有するプロジェクタの機能ブロックについて説明する。図２は、第１の実施例におけるプロジェクタ１００の機能ブロック図である。プロジェクタ１００は、種々の制御を行う制御システム１１０と、投写部１４０を含んで構成されている。
【００２８】
制御システム１１０は、主光源１３４と、主光源１３４を駆動する主光源駆動部１３２と、補助光源１３５と、補助光源１３５を駆動する補助光源駆動部１３３と、光量を計測する計測部１３１と、主光源駆動部１３２および補助光源駆動部１３３に対する制御等を行う制御部１２０を含んで構成されている。
【００２９】
投写部１４０は、主光源１３４および補助光源１３５から射出される光の光路であり、光の方向を調整する集光光学系１４２と、集光光学系１４２からの光をＲＧＢのそれぞれの光に分離する色分離光学系１４４と、色分離光学系１４４で分離された光を１つの光に合成する色合成光学系１４６と、色合成光学系１４６からの光を外部に出力することにより、画像を投写する投写レンズ１４８を含んで構成されている。
【００３０】
次に、制御システム１１０と集光光学系１４２の構成についてより詳細に説明する。図３は、第１の実施例における制御システム１１０と集光光学系１４２の構成を示す図である。主光源１３４は、光を出力する光源ランプ２１と、光源ランプ２１から出力された光を反射する凹面鏡２２を含んで構成されている。
【００３１】
集光光学系１４２は、コリメートレンズ３３と、ハーフミラー３６と、第１レンズアレイ３１と、第２レンズアレイ３２と、偏光変換部３４と、重畳レンズ３５を含んで構成されている。コリメートレンズ３３は、光源ランプ２１および凹面鏡２２から出力された光を平行光にする。ハーフミラー３６は、コリメートレンズ３３と第１レンズアレイ３１の間に設けられ、補助光源１３５からの光を反射し、コリメートレンズ３３からの光を透過させる。なお、計測部１３１は、主光源１３４とコリメートレンズ３３の間に設けられているが、補助光源１３５からの光が合成される前の主光源１３４の光路にあればよく、図３に示す位置には限定されない。
【００３２】
第１レンズアレイ３１は、コリメートレンズ３３およびハーフミラー３６からの光束を複数の部分光束に分割する光学素子である。また、第２レンズアレイ３２は、第１レンズアレイ３１によって分割された複数の部分光束を集光する光学素子である。第１レンズアレイ３１および第２レンズアレイ３２は、光軸に直交する面内にマトリックス状に配列される複数の小レンズを有している。
【００３３】
偏光変換部３４は、ＰＢＳPolarization Beam Splitterで構成され、第２レンズアレイ３２からの各部分光束の偏光方向を一方向の直線偏光に揃える。また、重畳レンズ３５は、偏光変換部材３４からの複数の部分光束を集光して色分離光学系１４４内のＲＧＢの各液晶パネルの画像形成領域に重畳させて入射させるための光学素子である。
【００３４】
なお、制御部１２０等のハードウェアは、例えば、以下のものが採用されてもよい。例えば、制御部１２０としてはＣＰＵ等、主光源駆動部１３２および補助光源駆動部１３３としてはバラスト等、計測部１３１は輝度センサ、照度センサ等が採用されてもよい。
【００３５】
また、プロジェクタ１００の有するコンピュータは、制御部１２０等の機能を情報記憶媒体２００からプログラムを読み取って実装してもよい。このような情報記憶媒体２００としては、例えば、ＣＤ−ＲＯＭ、ＤＶＤ−ＲＯＭ、ＲＯＭ、ＲＡＭ、ＨＤＤ等を適用でき、そのプログラムの読み取り方式は接触方式であっても、非接触方式であってもよい。
【００３６】
次に、制御部１２０等を用いた光量制御手順について説明する。図４は、第１の実施例における光量制御手順を示すフローチャートである。制御部１２０は、プロジェクタ１００の電源スイッチがＯＮになったかどうかを判定する（ステップＳ１）。
【００３７】
電源スイッチがＯＮになった場合、制御部１２０は、主光源駆動部１３２および補助光源駆動部１３３を制御し、主光源１３４および補助光源１３５の駆動を開始させる（ステップＳ２）。この場合、制御部１２０は、例えば、最大または所定値以上の駆動量で補助光源１３５を駆動制御してもよい。
【００３８】
制御部１２０は、計測部１３１を制御して主光源１３４の光量を計測させる（ステップＳ３）。そして、制御部１２０は、計測部１３１によって計測された主光源１３４の光量に基づき、合成光量が所定値（図１に示す望ましい合成光量の値）になるように補助光源１３５の光量を決定し、当該光量となる駆動電力で補助光源１３５を駆動するように補助光源駆動部１３３を制御し、補助光源駆動部１３３は、制御部１２０からの制御信号に応じて補助光源１３５を駆動する（ステップＳ４）。この場合、制御部１２０は、例えば、補助光源１３５の駆動電力を低下させるように補助光源１３５を駆動制御してもよい。
【００３９】
なお、補助光源１３５の駆動を調整する手法としては、駆動電力以外にも、例えば、補助光源１３５のパルス幅を調整する手法等が採用されてもよい。また、制御部１２０は、主光源１３４の光量と、当該光量に対する補助光源１３５の駆動電力との関係を示すテーブルに基づいて当該駆動電力を決定してもよい。
【００４０】
制御部１２０は、補助光源１３５の駆動電力が基準値以下かどうかを判定する（ステップＳ５）。なお、制御部１２０は、この判定に代えて、例えば、主光源１３４の光量が第２の基準値以上かどうかの判定等を行ってもよい。これらの基準値は、適用されるハードウェア等によって異なり、開発者等による実験等によって適切な値に設定される。
【００４１】
補助光源１３５の駆動電力が基準値以下の場合、制御部１２０は、補助光源駆動部１３３を制御して補助光源１３５の駆動を停止する（ステップＳ６）。一方、補助光源１３５の駆動電力が基準値を超えている場合、プロジェクタ１００は、ステップＳ３〜Ｓ５の処理を繰り返し実行する。
【００４２】
制御部１２０は、プロジェクタ１００の電源スイッチがＯＦＦになったかどうかを判定する（ステップＳ７）。電源スイッチがＯＦＦになった場合、制御部１２０は、主光源駆動部１３２を制御して主光源１３４（補助光源１３５が駆動している場合は補助光源１３５も）の駆動を停止する（ステップＳ８）。
【００４３】
以上のように、本実施例によれば、プロジェクタ１００は、補助光源１３５に対して合成光量を一定値（一定範囲）にする制御を行うことにより、所望の光量になるまでに時間がかかる主光源１３４を用いる場合であっても、光量の変動を抑制しつつ、実際に画像が表示されるまでの時間を短縮することができる。しかも、プロジェクタ１００は、合成光
量が所定値の状態で補助光源１３５の駆動電力が基準値以下になった場合に補助光源１３５の駆動を停止することにより、主光源１３４の光量が安定した後は補助光源１３５の駆動電力が不要になり、省電力で画像を投写することができる。
【００４４】
また、本実施例によれば、プロジェクタ１００は、主光源１３４の光量を計測することにより、主光源１３４の光量に応じた制御を行うことができる。例えば、プロジェクタ１００は、主光源１３４の光量が所定値以上になった場合に補助光源１３５の駆動を停止するといった制御を行うことができるため、短時間で画像を投写できるだけでなく、主光源１３４の光量が安定した状態での省電力化を図ることができる。
【００４５】
（第２の実施例）
第１の実施例では１つの補助光源１３５が用いられているが、複数の補助光源１３５が用いられてもよい。また、第１の実施例では主光源１３４の光量が計測されているが、合成光量が計測されてもよい。また、第１の実施例では合成光量が所定範囲になるように補助光源１３５が制御されているが、合成光量が所定値以上になるように制御されてもよい。次に、複数の補助光源１３５が用いられ、合成光量が計測され、合成光量が所定値以上になるように補助光源１３５が制御される実施例について説明する。
【００４６】
図５は、第２の実施例における制御システム１１１と集光光学系１４２の構成を示す図である。制御システム１１１は、複数の補助光源１３５−１、１３５−２と、これらを駆動する補助光源駆動部１３３−１、１３３−２と、合成光量を計測する計測部１３１と、補助光源駆動部１３３−１、１３３−２、計測部１３１等を制御する制御部１２１を含んで構成されている。
【００４７】
なお、補助光源１３５−１、１３５−２は、主光源１３４とコリメートレンズ３３の間に設けられ、主光源１３４の側からコリメートレンズ３３に光を出力する。また、計測部１３１は、重畳レンズ３５と色分離光学系１４４の間に設けられ、重畳レンズ３５から出力された合成光の光量を計測する。
【００４８】
次に、これらを用いた光量制御手順について説明する。図６は、第２の実施例における光量制御手順を示すフローチャートである。制御部１２１は、プロジェクタ１００の電源スイッチがＯＮになったかどうかを判定する（ステップＳ１１）。
【００４９】
電源スイッチがＯＮになった場合、制御部１２１は、主光源駆動部１３２および補助光源駆動部１３３−１、１３３−２を制御し、主光源１３４および補助光源１３５−１、１３５−２の駆動を開始させる（ステップＳ１２）。
【００５０】
制御部１２１は、計測部１３１を制御して合成光量を計測させる（ステップＳ１３）。そして、制御部１２１は、計測部１３１によって計測された合成光量が所定値（例えば、第１の実施例の所定値等）以上かどうかを判定する（ステップＳ１４）。
【００５１】
合成光量が所定値以上の場合、制御部１２１は、駆動電力を減少させて補助光源１３５−１、１３５−２を駆動するように補助光源駆動部１３３−１、１３３−２を制御し、補助光源駆動部１３３−１、１３３−２は、制御部１２１からの制御信号に応じて補助光源１３５−１、１３５−２を駆動する（ステップＳ１５）。
【００５２】
一方、合成光量が所定値未満の場合、プロジェクタ１００は、補助光源１３５−１、１３５−２の駆動電力を変更せず、ステップＳ１３、Ｓ１４の処理を繰り返し実行する。なお、時間の経過に応じて主光源１３４の光量が徐々に増加するため、補助光源１３５−１、１３５−２の駆動電力が変わらない場合であっても合成光量は増加する。
【００５３】
制御部１２１は、補助光源１３５−１、１３５−２の駆動電力が基準値以下かどうかを判定する（ステップＳ１６）。補助光源１３５−１、１３５−２の駆動電力が基準値以下の場合、制御部１２１は、補助光源駆動部１３３−１、１３３−２を制御して補助光源１３５−１、１３５−２の駆動を停止する（ステップＳ１７）。一方、補助光源１３５−１、１３５−２の駆動電力が基準値を超えている場合、プロジェクタ１００は、ステップＳ１３〜Ｓ１６の処理を繰り返し実行する。
【００５４】
制御部１２１は、プロジェクタ１００の電源スイッチがＯＦＦになったかどうかを判定する（ステップＳ１７）。電源スイッチがＯＦＦになった場合、制御部１２１は、主光源駆動部１３２を制御して主光源１３４の駆動を停止する（ステップＳ１８）。一方、電源スイッチがＯＦＦになっていない場合、プロジェクタ１００は、ステップＳ１３〜Ｓ１８の処理を繰り返し実行する。
【００５５】
以上のように、本実施例によれば、プロジェクタ１００は、補助光源１３５−１、１３５−２に対して合成光量を所定値以上にする制御を行うことにより、所望の光量になるまでに時間がかかる主光源１３４を用いる場合であっても、光量の変動を抑制しつつ、実際に画像が表示されるまでの時間を短縮することができる。
【００５６】
（第３の実施例）
次に、プロジェクタ１００が、プロジェクタ１００の周囲温度に基づいて補助光源１３５に対する制御を調整する実施例について説明する。図７は、第３の実施例における周囲温度による主光源１３４の光量の相違を示す図である。例えば、周囲温度が０℃、２０℃、４０℃と高くなるにつれて主光源１３４の光量も多くなる。これは、周囲温度が低いほど主光源１３４の水銀が気化する速度が遅くなることによって光量の増加率が減少するとともに、当該水銀の気化量が減少することによって発光輝度が低下するからである。
【００５７】
図８は、第３の実施例における制御システム１１２の機能ブロック図である。制御システム１１２は、上述した構成に加えて周囲温度計測部１３６（具体的には、例えば、温度計等）を有している。制御部１２２は、周囲温度計測部１３６によって計測された周囲温度に応じて制御を調整する。具体的には、例えば、制御部１２２は、必要な補助光源１３５の光量を決定する際に、周囲温度が高いほど必要な光量が少なくなるように決定する。
【００５８】
なお、実際には、一般的なプロジェクタには冷却用のファンが設けられているため、２０分程度経過した場合には主光源１３４の光量は周囲温度の影響を受けにくくなる。しかし、一般的なプロジェクタの場合、起動直後は周囲温度の影響を受けてしまう。
【００５９】
これに対し、本実施例によれば、プロジェクタ１００は、周囲温度に応じて制御を調整することにより、起動直後であっても適切な制御を行うことができ、より短時間で画像を投写することができる。
【００６０】
（第４の実施例）
次に、プロジェクタ１００が、プロジェクタ１００の累計稼働時間に基づいて補助光源１３５に対する制御を調整する実施例について説明する。図９は、第４の実施例における累計稼働時間による主光源１３４の最大光量の相違を示す図である。主光源１３４の性能にもよるが、例えば、プロジェクタ１００の累計稼働時間が２０００時間以上になると主光源１３４の最大光量は徐々に低下する。
【００６１】
図１０は、第４の実施例における制御システム１１３の機能ブロック図である。制御システム１１３は、第１の実施例で説明した構成に加えて累計稼働時間を示す累計稼働時間
データを記憶する累計稼働時間データ記憶部１３７を有している。制御部１２３は、累計稼働時間に応じて制御を調整する。具体的には、例えば、制御部１２３は、必要な補助光源１３５の光量を決定する際に、累計稼働時間が３０００時間を超えている場合は累計稼働時間が長いほど必要な光量が多くなるように決定する。
【００６２】
なお、累計稼働時間データ記憶部１３７は、例えば、不揮発性メモリ等によって構成されてもよい。また、一般的なプロジェクタは、累計稼働時間を計測する構成を有しているため、累計稼働時間を計測する構成を新たにプロジェクタ１００に追加する必要はない。
【００６３】
本実施例によれば、プロジェクタ１００は、累計稼働時間に応じて制御を調整することにより、より適切な制御を行うことができ、短時間で画像を投写することができる。
【００６４】
（第５の実施例）
次に、プロジェクタ１００が、プロジェクタ１００の起動後の経過時間に基づいて補助光源１３５に対する制御を調整する実施例について説明する。図１１は、第５の実施例における制御システム１１４の機能ブロック図である。制御システム１１４は、第１の実施例で説明した構成に加えてプロジェクタ１００の起動後の経過時間を計測する経過時間計測部１３８（具体的には、例えば、タイマー等）を有している。制御部１２４は、当該経過時間に応じて補助光源１３５等の制御を行う。
【００６５】
なお、経過時間に応じて制御が行われる場合、計測部１３１は必ずしも必要ではない。図１に示すように、標準的な環境では経過時間に応じて主光源１３４の光量は増加する。このため、制御部１２４は、例えば、経過時間と主光源１３４の光量の関係を示すテーブル等を用いて上述した実施例と同様の制御を行うことができる。
【００６６】
したがって、本実施例によれば、プロジェクタ１００は、経過時間に応じて制御を調整することにより、計測部１３１を用いることなく、短時間で画像を投写することができる。
【００６７】
（その他の実施例）
なお、本発明の適用は上述した実施例に限定されず、種々の変形が可能である。例えば、第１〜第５の実施例の一部または全部を組み合わせてもよい。例えば、第３の実施例と第５の実施例を組み合わせることにより、制御システムが、周囲温度ごと（例えば、１０℃ごと等）に経過時間と主光源１３４の光量の関係を示すテーブルを記憶しておき、制御部が、周囲温度計測部１３６からの周囲温度に応じてテーブルを選択し、経過時間計測部１３８からの経過時間と当該テーブルを用いることにより、計測部１３１を用いることなく周囲温度に応じた補助光源１３５の光量を適切に決定することができる。
【００６８】
また、例えば、第４の実施例と第５の実施例を組み合わせることにより、制御システムが、累計稼働時間ごと（例えば、５００時間ごと等）に経過時間と主光源１３４の光量の関係を示すテーブルを記憶しておき、制御部が、累計稼働時間データ記憶部１３７に記憶された累計稼働時間データで示される累計稼働時間に応じてテーブルを選択し、経過時間計測部１３８からの経過時間と当該テーブルを用いることにより、計測部１３１を用いることなく累計稼働時間に応じた補助光源１３５の光量を適切に決定することができる。
【００６９】
また、第１の実施例では、制御部１２０は、合成光量が所定値となるように補助光源１３５を駆動制御しているが、この所定値に幅を持たせて制御してもよい。例えば、制御部１２０〜１２４は、合成光量が当該所定値の上下１０％以内（一定範囲内）になるように補助光源１３５を駆動制御してもよい。具体的には、例えば、制御部１２０は、合成光量が、一定範囲内の場合は補助光源１３５の駆動量を変更せず、当該一定範囲の最小値未満の場合は補助光源１３５の駆動量を増加させ、当該一定範囲の最大値を超える場合は補助光源１３５の駆動量を減少させてもよい。
【００７０】
これによれば、プロジェクタ１００は、主光源１３４の光量が経時劣化等によって低下している場合であっても、補助光源１３５の駆動量を増加させることにより合成光量を所望の状態にすることができる。なお、このような場合、電源スイッチがＯＦＦになるまで補助光源１３５の駆動を続行し、電源スイッチがＯＦＦになった時点で補助光源１３５の駆動を停止してもよい。
【００７１】
また、これによれば、プロジェクタ１００は、短時間で通常の明るさで画像を投写できる上、合成光量が一定範囲になるように補助光源１３５の光量が制御されるため、明るさが安定した後も消費電力を抑制することができる。
【００７２】
また、第３の実施例では、制御部１２２は、周囲温度に基づく制御を行っているが、例えば、プロジェクタ１００の内部温度を計測する内部温度計測部によって計測される内部温度に基づく制御を行ってもよい。
【００７３】
また、補助光源１３５に含まれる光源の数は、１個、２個には限定されず、３個以上であってもよい。また、制御部１２０〜１２４は、補助光源１３５に含まれる光源の点灯状態を制御（例えば、光源の点灯制御、光源の駆動制御等）することによって補助光源１３５の光量を調整してもよい。例えば、補助光源１３５に含まれる光源の数が５個の場合、制御部１２０〜１２４は、点灯する光源の数を５個、４個、３個、２個、１個と減少させることによって補助光源１３５の光量を徐々に低下させることができる。
【００７４】
また、計測部１３１の配置は上述した実施例には限定されない。また、プロジェクタ１００は、例えば、主光源の光量を計測する計測部と補助光源の光量を計測する計測部を用いてもよいし、これらの計測部に加えて合成光量を計測する計測部を用いてもよい。例えば、上述した実施例では、制御部１２０〜１２４は、補助光源１３５の駆動電力を用いた判定を行っているが、当該判定に代えて補助光源１３５の光量を用いた判定を行ってもよい。
【００７５】
また、主光源１３４は、超高圧水銀ランプには限定されず、例えば、メタルハライドランプ等であってもよい。また、補助光源１３５は、冷陰極管には限定されず、例えば、ＬＥＤLight Emitting Diode、キセノンランプ、ハロゲンランプ、蛍光灯等であってもよい。
【００７６】
また、プロジェクタ１００は、液晶プロジェクタには限定されず、例えば、ＤＭＤDi gital Micromirror Deviceを用いたプロジェクタ等であってもよい。なお、ＤＭＤは米国テキサス・インスツルメンツ社の商標である。また、液晶プロジェクタの液晶パネルは、３板式には限定されず、単板式であってもよい。また、液晶パネルは、透過型でも反射型でもよい。また、プロジェクタ１００や制御システム１１０の機能を複数の装置（例えば、ＰＣとプロジェクタ等）に分散して実装してもよい。
【符号の説明】
【００７７】
２１  光源ランプ、２２  凹面鏡、３１  第１レンズアレイ、３２  第２レンズアレイ、３３  コリメートレンズ、３４  偏光変換部、３５  重畳レンズ、３６  ハーフミラー、１００  プロジェクタ、１１０〜１１４  制御システム、１２０〜１２４  制御部、１３１  計測部、１３２  主光源駆動部、１３３  補助光源駆動部、１３４  主光源、１３５  補助光源、１３６  周囲温度計測部、１３７  累計稼働時間データ記憶部、１３８  経過時間計測部、１４０  投写部、１４２  集光光学系、１４４  色分離光学系、１４６  色合成光学系、１４８  投写レンズ、２００  情報記憶媒体
【図１】
2010097951.tif 000003
【図２】
2010097951.tif 000004
【図３】
2010097951.tif 000005
【図４】
2010097951.tif 000006
【図５】
2010097951.tif 000007
【図６】
2010097951.tif 000008
【図７】
2010097951.tif 000009
【図８】
2010097951.tif 000010
【図９】
2010097951.tif 000011
【図１０】
2010097951.tif 000012
【図１１】
2010097951.tif 000013
【手続補正書】
【提出日】平成22年2月16日(2010.2.16)
【手続補正２】
【補正対象書類名】明細書
【補正対象項目名】０００１
【補正方法】変更
【補正の内容】
【０００１】
本発明は、光量を制御するプロジェクタおよび制御方法に関する。
【手続補正３】
【補正対象書類名】明細書
【補正対象項目名】０００６
【補正方法】変更
【補正の内容】
【０００６】
本発明の目的は、所望の光量になるまでに時間がかかる光源を用いる場合であっても、光量の変動を抑制しつつ、実際に画像が表示されるまでの時間を短縮することが可能なプロジェクタおよび制御方法を提供することにある。
【手続補正４】
【補正対象書類名】特許請求の範囲
【補正対象項目名】全文
【補正方法】変更
【補正の内容】
【特許請求の範囲】
【請求項１】
第１の光源と、
前記第１の光源を駆動する第１の光源駆動部と、
第２の光源と、
前記第２の光源を駆動する第２の光源駆動部と、
前記第１の光源から射出される光と前記第２の光源から射出される光とを合成して集光し、合成光を射出する集光光学系と、
前記第２の光源駆動部を制御する制御部と、
前記合成光の光量を示す合成光量を計測する計測部と、
を含み、
前記第２の光源は、前記第１の光源に比べて所望の光量になるまでの所要時間が短い光源であって、
前記制御部は、前記合成光量に応じて前記第２の光源駆動部によって前記第２の光源に供給される駆動電力を減少させるように前記第２の光源駆動部を制御するとともに、前記駆動電力が基準値以下の場合、前記第２の光源駆動部による前記第２の光源の駆動を停止させる、
プロジェクタ。
【請求項２】
請求項１に記載のプロジェクタにおいて、
前記制御部は、前記計測部によって計測された前記合成光の光量が所定値以上の場合、前記駆動電力を減少させるように前記第２の光源駆動部を制御する、
プロジェクタ。
【請求項３】
請求項１、２のいずれかに記載のプロジェクタにおいて、
前記第２の光源は、複数の光源で構成され、
前記第２の光源駆動部は、前記複数の光源を個別に駆動可能に構成され、
前記制御部は、前記複数の光源のうち少なくとも１つの光源の点灯状態を調整させるように前記第２の光源駆動部を制御することによって前記合成光の光量を一定に保つ、
プロジェクタ。
【請求項４】
請求項１〜３のいずれかに記載のプロジェクタにおいて、
前記制御部は、前記プロジェクタの累計稼働時間に基づき、前記第２の光源駆動部を制御する、
プロジェクタ。
【請求項５】
第１の光源と、前記第１の光源を駆動する第１の光源駆動部と、前記第１の光源に比べて所望の光量になるまでの所要時間が短い光源である第２の光源と、前記第２の光源を駆動する第２の光源駆動部と、前記第１の光源から射出される光と前記第２の光源から射出される光とを合成して集光し、合成光を射出する集光光学系と、前記合成光の光量を示す合成光量を計測する計測部と、を含むプロジェクタにおける制御方法であって、
前記合成光光量を前記計測部に計測させるステップと、
前記合成光量に応じて前記第２の光源駆動部によって前記第２の光源に供給される駆動電力を減少させるように前記第２の光源駆動部を制御するステップと、
前記第２の光源駆動部によって前記第２の光源に供給される駆動電力が基準値以下であるかどうかを判定するステップと、
前記駆動電力が基準値以下の場合、前記第２の光源駆動部による前記第２の光源の駆動を停止させるステップと、
を有する、
制御方法。
【請求項６】
請求項５に記載の制御方法において、
前記合成光の光量が所定値以上であるかどうかを判定するステップと、
前記合成光の光量が前記所定値以上の場合、前記駆動電力を減少させるように前記第２の光源駆動部を制御するステップと、
をさらに有する、
制御方法。